(57)【要約】【課題】  廉価な構成により、痛みを生じることなく安全且つ容易に使用することができ、良好な美顔効果を得ることができる美顔器を提供する。【解決手段】  先端に鍼先部２２ａを有する刺入部材２０と、容器状に形成されて内部に鍼先部２２ａを保持する保持部材１０とを備え、保持部材１０は、弾性変形可能な胴部１１と、胴部１１の一端側に形成された開口部１２とを備えており、胴部１１を介して刺入部材２０を挟持して鍼先部２２ａを開口部１２から押し出し可能に構成された美顔器１。【選択図】  図１
2019084169.tif 000002
【特許請求の範囲】
【請求項１】
先端に鍼先部を有する刺入部材と、
容器状に形成されて内部に前記鍼先部を保持する保持部材とを備え、
前記保持部材は、弾性変形可能な胴部と、前記胴部の一端側に形成された開口部とを備えており、
前記胴部を介して前記刺入部材を挟持して前記鍼先部を前記開口部から押し出し可能に構成された美顔器。
【請求項２】
前記胴部は、内径の最大径が前記開口部の開口径よりも大径となる膨出部を備える請求項１に記載の美顔器。
【請求項３】
前記保持部材は、前記刺入部材が着脱可能に挿入される挿入孔を前記胴部の他端側に備えており、
前記刺入部材は、先端に向けてテーパ状に縮径されており、基端部が前記保持部材から突出した状態で前記挿入孔に保持される請求項１または２に記載の美顔器。
【発明の詳細な説明】
【技術分野】
【０００１】
本発明は、美顔器に関し、より詳しくは、鍼を用いる美顔器に関する。
【背景技術】
【０００２】
従来の美顔器として、例えば特許文献１に開示された構成が知られている。この美顔器は、針部と把持部との間に弾性中間部材を備えており、針部を皮膚に向けて押圧したときに、弾性中間部材の弾性力によって針部が出没するように構成されている。
【０００３】
上記従来の美顔器は、針部の針先を丸めることで針部が皮膚を突き破らないように構成されているので、一般の人でも安全に使用することができるものの、刺激が少ないために良好な美顔効果を得難いという問題があった。一方、皮膚に刺入して刺激を与える従来の美容鍼は、刺入時に痛みが生じ易く専門性が要求されるため、一般の人が自ら行うことが困難であった。
【先行技術文献】
【特許文献】
【０００４】
【特許文献１】特開２０１１−２４８５７号公報
【発明の概要】
【発明が解決しようとする課題】
【０００５】
そこで、本発明は、廉価な構成により、痛みを生じることなく安全且つ容易に使用することができ、良好な美顔効果を得ることができる美顔器の提供を目的とする。
【課題を解決するための手段】
【０００６】
本発明の前記目的は、先端に鍼先部を有する刺入部材と、容器状に形成されて内部に前記鍼先部を保持する保持部材とを備え、前記保持部材は、弾性変形可能な胴部と、前記胴部の一端側に形成された開口部とを備えており、前記胴部を介して前記刺入部材を挟持して前記鍼先部を前記開口部から押し出し可能に構成された美顔器により達成される。
【０００７】
この美顔器において、前記胴部は、内径の最大径が前記開口部の開口径よりも大径となる膨出部を備えることが好ましい。
【０００８】
また、前記保持部材は、前記刺入部材が着脱可能に挿入される挿入孔を前記胴部の他端側に備えることが好ましく、前記刺入部材は、先端に向けてテーパ状に縮径されており、基端部が前記保持部材から突出した状態で前記挿入孔に保持されることが好ましい。
【発明の効果】
【０００９】
本発明によれば、廉価な構成により、痛みを生じることなく安全且つ容易に使用することができ、良好な美顔効果を得ることができる美顔器を提供することができる。
【図面の簡単な説明】
【００１０】
【図１】本発明の一実施形態に係る美顔器の断面図である。
【図２】図１に示す美顔器の他の要部を示す拡大図である。
【図３】図１に示す美顔器の使用方法を説明するための工程図である。
【発明を実施するための形態】
【００１１】
以下、本発明の実施の形態について、添付図面を参照して説明する。図１は、本発明の一実施形態に係る美顔器の断面図である。図１に示すように、美顔器１は、保持部材１０と、保持部材１０に保持された刺入部材２０とを備えている。
【００１２】
保持部材１０は、柔軟性を有するゴム材料や合成樹脂材料等（例えば、シリコーンゴム）により容器状に形成されており、弾性変形可能な胴部１１と、胴部１１の一端側に形成された円形の開口部１２とを備えている。開口部１２の周縁部には、皮膚に当接可能な当接部１２ａが形成されている。保持部材１０大きさは特に限定されないが、一例を挙げると、高さが２．９ｃｍ程度である。
【００１３】
胴部１１は、内周面が断面円形に形成されており、径方向外方に拡がる膨出部１１ａと、膨出部１１ａと開口部１２との間で内径が絞られたくびれ部１１ｂとを備えている。胴部１１の他端側の中央には挿入孔１３が形成されており、挿入孔１３に刺入部材２０が挿入されることにより、胴部１１の他端側が閉塞される。
【００１４】
刺入部材２０は、棒状の鍼柄２１と、鍼柄２１の先端に設けられた鍼体２２とを備えている。鍼柄２１は、例えば合成樹脂からなる筒状の部材であり、先端に向けてテーパ状に縮径されるように形成され、基端部が保持部材１０から若干（例えば１ｃｍ程度）突出した状態で、挿入孔１３に着脱可能に保持される。鍼柄２１は、必ずしも本実施形態のようにテーパ状である必要はなく、例えば、直棒状の鍼柄２１の基端部を拡径して段部を形成し、この段部が挿入孔１３の周縁部に係止される構成であってもよい。鍼体２２は、刺入部材２０が保持部材１０に取り付けられた状態で、保持部材１０の開口部１２から外部に突出しないように、保持部材１０の内部に保持される。
【００１５】
鍼体２２は、例えばステンレス等の金属材料からなる円皮鍼を使用することができ、先端に鋭利な鍼先部２２ａを備えている。鍼体２２は、加熱した鍼柄２１の先端に基部を挿入した後、冷却と同時にカシメ加工を行うことにより、鍼柄２１の先端から鍼先部２２ａが突出した状態で固定される。鍼柄２１に対する鍼体２２の固定は、必ずしもカシメ式に限定されるものではなく、接着剤を用いるなど他の固定方法で行ってもよい。
【００１６】
鍼先部２２ａの長さおよび太さは、従来の円皮鍼の鍼先部の長さおよび太さと同様であることが好ましく、例えば、鍼先部２２ａの長さは、１〜５ｍｍ程度が好ましく、鍼先部２２ａの太さは０．１４〜０．１８ｍｍ程度が好ましい。
【００１７】
上記の構成を備える美顔器１は、刺入部材１０による刺激を与えたい箇所の皮膚表面に保持部材１０の当接部１２ａを当接させて使用する。当接部１２ａを皮膚表面に対してソフトに密着させることができるように、当接部１２ａは、図２に示すように、皮膚表面と当接する部分が断面円弧状に形成されていることが好ましい。
【００１８】
次に、上記の美顔器１の使用方法を、図３に示す工程図に沿って説明する。まず、図３（ａ）に示すように、保持部材１０の当接部１２ａを皮膚表面Ｓに当接させる。この状態では、鍼先部２２ａは保持部材１０の内部に保持されており、皮膚に対する刺入は行われない。
【００１９】
この状態から、図３（ｂ）に示すように、保持部材１０の胴部１１を指先等で挟むようにして矢示Ａ方向に押圧し、胴部１１を介して刺入部材２０を挟持する。これにより、保持部材１０の内容積が小さくなるため、保持部材１０の内部の空気が当接部１２ａと皮膚表面Ｓとの間から徐々に漏出する。このとき、当接部１２ａには矢示Ｂ方向に拡がる力が作用し、当接部１２ａが当接する皮膚表面Ｓには、矢示Ｂ方向の引張力が作用する。
【００２０】
ついで、図３（ｃ）に示すように、挟持した刺入部材２０を皮膚表面Ｓに押し付けるように矢示Ｃ方向に押圧することにより、鍼先部２２ａが開口部１２から外部に押し出され、皮膚表面Ｓに引張力が作用した状態で、鍼先部２２ａが皮膚内に刺入される。この後、刺入部材２０の押圧を緩めると、保持部材１０が弾性により復元されて、鍼先部２２ａの刺入が解除される。
【００２１】
こうして、顔面の適宜の箇所に対して、美顔器１を押圧して離す動作を繰り返し行うことにより、血行の改善を促して肌を活性化させることができ、くすみ、シミ、シワ、浮腫み等を改善して良好な美顔効果を得ることができる。作業終了後は、刺入部材２０の基部を摘まんで保持部材１０から抜き取り、新たな刺入部材２０と交換することが望ましく、使用済みの刺入部材２０は、プラスチック容器等に収容して廃棄することが望ましい。刺入部材２０はテーパ状に形成されているため、上記の交換作業を迅速容易に行うことができる。
【００２２】
本実施形態の美顔器１は、保持部材１０を摘みながら皮膚表面Ｓに押し当てるという自然な動作によって、皮膚に張りを与えた状態で鍼先部２２ａを刺入させることができるので、簡素・廉価な構成によって、刺入時の痛みを容易に抑制することができる。また、刺入時以外は、鍼先部２２ａが保持部材１０の内部に保持されるので、作業を安全に行うことができ、一般の人でも自宅等で手軽に使用することができる。
【００２３】
図３（ａ）に示す鍼先部２２ａの先端から開口部１２までの距離Ｌは、短すぎると、鍼先部２２ａが開口部１２から外部と接触し易くなる一方、長すぎると皮膚への刺入が困難になり易いことから、２〜２．５ｍｍ程度であることが好ましい。
【００２４】
保持部材１０の形状は、必ずしも本実施形態のものに限定されず、例えば、上部が閉塞された直管状に形成されていてもよいが、本実施形態のように、胴部１１が膨出部１１ａを備える構成にすることで、保持部材１０の十分な内容積を確保することができ、鍼先部２２ａが刺入される皮膚に対して張りを確実に与えることができる。図３（ａ）に示すように、膨出部１１ａの内径の最大径Ｄ１は、開口部１２の開口径Ｄ２よりも大きいことが好ましい。
【符号の説明】
【００２５】
１  美顔器
１０  保持部材
１１  胴部
１１ａ  膨出部
１２  開口部
１３  挿入孔
２０  刺入部材
２１  鍼柄
２２  鍼体
２２ａ  鍼先部
【図１】
2019084169.tif 000003
【図２】
2019084169.tif 000004
【図３】
2019084169.tif 000005
【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
先端に鍼先部を有する刺入部材と、
容器状に形成されて内部に前記鍼先部を保持する保持部材とを備え、
前記保持部材は、弾性変形可能な胴部と、前記胴部の一端側に形成された開口部とを備えており、
前記胴部を介して前記刺入部材を挟持して前記鍼先部を前記開口部から押し出し可能に構成され、
前記胴部は、押圧前の状態で内径の最大径が前記開口部の開口径よりも大径となる膨出部を備え、
前記胴部を押圧することにより前記保持部材の内容積が小さくなる美顔器。
【請求項２】
前記保持部材は、前記刺入部材が着脱可能に挿入される挿入孔を前記胴部の他端側に備えており、
前記刺入部材は、先端に向けてテーパ状に縮径されており、基端部が前記保持部材から突出した状態で前記挿入孔に保持される請求項１に記載の美顔器。
【手続補正２】
【補正対象書類名】明細書
【補正対象項目名】０００６
【補正方法】変更
【補正の内容】
【０００６】
本発明の前記目的は、先端に鍼先部を有する刺入部材と、容器状に形成されて内部に前記鍼先部を保持する保持部材とを備え、前記保持部材は、弾性変形可能な胴部と、前記胴部の一端側に形成された開口部とを備えており、前記胴部を介して前記刺入部材を挟持して前記鍼先部を前記開口部から押し出し可能に構成され、前記胴部は、押圧前の状態で内径の最大径が前記開口部の開口径よりも大径となる膨出部を備え、前記胴部を押圧することにより前記保持部材の内容積が小さくなる美顔器により達成される。
【手続補正３】
【補正対象書類名】明細書
【補正対象項目名】０００７
【補正方法】削除
【補正の内容】